【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】
複数の２次元画像スライスを有するデータセットから、対象構造を抽出するシステムであって、
（ａ）データセットを表示する表示部と、
（ｂ）前記表示されたデータセットにおいて分布する、選択された多数の対象領域であって、それぞれが前記対象構造の断面を含む対象領域を特定する入力デバイスと、
（ｃ）前記データセットから選択されたボクセルと前記選択された対象領域とを含む対象ボリュームを生成するインターポレイターと、
（ｄ）前記データセットにおいて不要な構造を特定し、削除してマスクを生成するマスキング処理部と、
（ｅ）前記マスクを使用して前記データセットをレンダリングし、それから前記対象構造を抽出するボリュームレンダリング処理部と、を備え、
前記対象領域は、前記データセットのサブセットである、システム。
【請求項２】
前記ボリュームレンダリング処理部は、削除されるべき領域を特定する処理、及び視覚化すべき領域を特定する処理の何れか一方或いは双方を実行するように構成されている、請求項１に記載のシステム。
【請求項３】
前記ボリュームレンダリング処理部は、不透明、カラー、テクスチャ、及びレンダリングモードのうち、１つ或いはそれ以上を割り当てる伝達関数を含む、請求項２に記載のシステム。
【請求項４】
前記データセットは、断面画像のセットを含む、請求項２に記載のシステム。
【請求項５】
前記対象領域のそれぞれは、対応する選択された断面画像の表面に配置されるポリゴンである、請求項４に記載のシステム。
【請求項６】
前記対象領域は、平行で、間隔が空いて距離の離れた空間的関係に配向されている、請求項４に記載のシステム。
【請求項７】
前記断面画像のセットは、平面の、任意の及び曲線のリフォーマットスライススタックを含むグループから選択される、請求項５に記載のシステム。
【請求項８】
前記対象領域の数は、前記断面画像のセットに含まれる断面画像の数よりも少ない、請求項４に記載のシステム。
【請求項９】
前記対象領域は、前記データセットの複数の対象ボリュームを生成する前記インターポレイターによって用いられる、請求項２に記載のシステム。
【請求項１０】
前記複数の対象ボリュームは、多重マスクを定義するために用いられる、請求項２に記載のシステム。
【請求項１１】
さらに、前記ボリュームレンダリング処理を実行するジグゾーツールを備える、請求項１０に記載のシステム。
【請求項１２】
前記ジグゾーツールは、前記対象領域の１つから、円筒近似ボリュームを押出する、請求項１１に記載のシステム。
【請求項１３】
前記押出の方向は、前記対象領域が定義される面の法線方向である、請求項１２に記載のシステム。
【請求項１４】
前記インターポレイター及び前記マスキング処理部は、前記選択された多数の対象領域に、対話的に反復して適用されるように構成されている、請求項２に記載のシステム。
【請求項１５】
複製のレンダリング経路は、対話的スカルプティングを促進するために繰り返し用いられる、請求項１４に記載のシステム。
【請求項１６】
前記データセットのダウンサンプルバージョンが、対話的スカルプティング中に用いられる、請求項１５に記載のシステム。
【請求項１７】
複数の２次元画像スライスを有するデータセットから、対象構造を抽出する方法であって、
（ａ）データセットを表示する工程と、
（ｂ）前記表示されたデータセットにおいて分布する、選択された多数の対象領域であって、それぞれが前記対象構造の断面を含む対象領域を特定する工程と、
（ｃ）前記データセットからのボクセルと前記選択された対象領域とを含む対象ボリュームを、インターポレイションを用いて生成する工程と、
（ｄ）前記データセットにおいて不要な構造を特定し、削除してマスクを生成する工程と、
（ｅ）前記マスクを使用して前記データセットに対してレンダリング処理を実行し、それから前記対象構造を抽出する工程と、を備え、
前記対象領域は、前記データセットのサブセットである、方法。
【請求項１８】
前記レンダリング処理は、削除されるべき領域を特定する処理、及び視覚化すべき領域を特定する処理の何れか一方或いは双方を実行するように構成されている、請求項１７に記載の方法。
【請求項１９】
前記レンダリング処理は、不透明、カラー、テクスチャ、及びレンダリングモードのうち、１つ或いはそれ以上を割り当てる伝達関数を含む、請求項１８に記載の方法。
【請求項２０】
前記データセットは、断面画像のセットを含む、請求項１８に記載の方法。
【請求項２１】
前記対象領域のそれぞれは、対応する選択された断面画像の表面に配置されるポリゴンである、請求項２０に記載の方法。
【請求項２２】
前記断面画像のセットは、平面の、任意の及び曲線のリフォーマットスライススタックを含むグループから選択される、請求項２１に記載の方法。
【請求項２３】
前記対象領域の数は、前記断面画像のセットに含まれる断面画像の数よりも少ない、請求項２０に記載の方法。
【請求項２４】
さらに前記選択された対象領域間をインターポレイトし、前記データセットに対する複数の対象ボリュームを生成する工程を備える、請求項１８に記載の方法。
【請求項２５】
さらに、前記複数の対象ボリュームを用いて多重マスクを定義する工程を備える、請求項２４に記載の方法。
【請求項２６】
さらに、前記対象領域の１つから、円筒近似ボリュームを押出する工程を備える、請求項２５に記載の方法。
【請求項２７】
前記押出の方向は、前記対象領域が定義される面の法線方向である、請求項２６に記載の方法。
【請求項２８】
前記インターポレイション及び前記マスキングする工程は、前記選択された多数の対象領域に、対話的に反復して適用される、請求項１８に記載の方法。
【請求項２９】
複製のレンダリング経路は、対話的スカルプティングを促進するために繰り返し用いられる、請求項２８に記載の方法。
【請求項３０】
前記データセットのダウンサンプルバージョンが、対話的スカルプティング中に用いられる、請求項２８に記載の方法。
【請求項３１】
オブジェクトの画像を表し、複数の２次元画像スライスを有するデータセットから対象構造を抽出するためのコンピュータリーダブルプログラムコードを有するコンピュータ使用可能媒体からなる製品であって、
前記製品のコンピュータリーダブルプログラムコードは、
（ａ）コンピュータに、前記データセットを表示させ、
（ｂ）前記表示されたデータセットにおいて分布する、選択された多数の対象領域であって、それぞれが前記対象構造の断面を含む対象領域を特定するための入力を受信し、
（ｃ）前記コンピュータに、前記データセットからのボクセルと前記選択された対象領域とを含む対象ボリュームを、インターポレイションを用いて生成させ、
（ｄ）前記コンピュータに、前記データセットにおいて不要な構造を特定させ、削除させ、マスクを生成させ、
（ｅ）前記コンピュータに、前記マスクを使用して前記対象構造を抽出させる、ように構成されるコンピュータプログラムコードであり、
前記対象領域は、前記データセットのサブセットである、製品。
【請求項３２】
前記コンピュータコードは、削除されるべき領域を特定する処理、及び視覚化すべき領域を特定する処理の何れか一方或いは双方を実行するように構成されている、請求項３１に記載の製品。